(57)【要約】【課題】刃の縁石等への接触を防ぐ機構を備えた手持式の芝刈機を提供する。【解決手段】本体の前面に水平に突出したバリカン型の刃を設け、当該本体の上部に把手部を設け、当該把手部を持って使用する芝刈機において、前記刃２の上方に、前端縁及び左右端縁が前記刃２の大きさよりやや大きいブレードガード６を重ねて設けた。また、前記ブレードガード６は、透明な材質から成ることとした。さらに、前記ブレードガード６の前端縁は、くし形状であることとした。【選択図】図１
2012135256.tif 000002
【特許請求の範囲】
【請求項１】
本体の前面に水平に突出したバリカン型の刃を設け、当該本体の上部に把手部を設け、当該把手部を持って使用する芝刈機において、
前記刃の上方に、前端縁及び左右端縁が前記刃の大きさよりやや大きいブレードガードを重ねて設けたことを特徴とする、手持式の芝刈機。
【請求項２】
前記ブレードガードは、透明な材質から成ることを特徴とした、前記請求項１に記載の手持式の芝刈機。
【請求項３】
前記ブレードガードの前端縁は、くし形状であることを特徴とした、前記請求項１又は２に記載の手持式の芝刈機。
【請求項４】
前記ブレードガードは、回動自在であって、かつ前記刃の上に重ねた水平な位置及び略起立した位置において夫々固定自在としたことを特徴とする、前記請求項１、２又は３の何れかに記載の手持式の芝刈機。
【発明の詳細な説明】
【技術分野】
【０００１】
この発明は、芝刈機、特に、手軽に使用出来る手持式の芝刈機に関するものである。
【背景技術】
【０００２】
従来、芝生では定期的に芝刈りが行われている。その際には、大型の芝刈機を使用する場合もあるが、家庭の庭等規模の小さな芝生では、手持式の芝刈機が使用されることがある。例えば、本体の前面に水平に突出したバリカン型の刃を設け、この本体の上部に把手部を設け、この把手部を持って使用するものである。
【特許文献１】特開２０００−８３４７５号公報
【発明の開示】
【発明が解決しようとする課題】
【０００３】
しかしながら、この様な芝刈機において、縁石や踏み石などのきわ（際）を刈り取る際には前記刃が縁石等に接触して刃や縁石等を傷めることがあり、刃を傷めると芝刈の能力が格段に落ち、なかには曲った一部の刃が引っかかってバリカン自体が動作しなくなると言うこともある。よって、この様な場合、刃の縁石等への接触を防ぐ機構があれば、さらに、使い勝手の良いものと成り、消費者の要求にも答え、売り上げの増加にもつながる。
【０００４】
この発明は、この様な状況に鑑みて行われたもので、刃の縁石等への接触を防ぐ機構を備えた手持式の芝刈機を提供して前記課題を解決するものである。
【課題を解決するための手段】
【０００５】
請求項１の発明は、本体の前面に水平に突出したバリカン型の刃を設け、当該本体の上部に把手部を設け、当該把手部を持って使用する芝刈機において、前記刃の上方に、前端縁及び左右端縁が前記刃の大きさよりやや大きいブレードガードを重ねて設けた手持式の芝刈機とした。
【０００６】
請求項２の発明は、前記ブレードガードは、透明な材質から成る前記請求項１に記載の手持式の芝刈機とした。
【０００７】
請求項３の発明は、前記ブレードガードの前端縁は、くし形状である前記請求項１又は２に記載の手持式の芝刈機とした。
【０００８】
請求項４の発明は、前記ブレードガードは、回動自在であって、かつ前記刃の上に重ねた水平な位置及び略起立した位置において夫々固定自在とした前記請求項１、２又は３の何れかに記載の手持式の芝刈機とした。
【発明の効果】
【０００９】
請求項１の発明によれば、前記刃の上方に、前端縁及び左右端縁が前記刃の大きさよりやや大きいブレードガードを重ねて設けたので、芝刈の際、このブレードガードが刃より外方に突出しているので、芝刈機の刃が庭の縁石や壁、塀などに接触して当該刃を傷めると言うことが無い。また、芝のきわに有る縁石や壁等を芝刈機で傷付けるおそれもない。その結果、安心して芝刈を行うことが出来、使い勝手の良いものである。
【００１０】
請求項２の発明によれば、ブレードガードは、透明な材質から成るものとしたので、また、請求項３の発明によれば、ブレードガードの前端縁は、くし形状としたので、作業をしながら上方からブレードガードを通して刃の位置や切断具合が見えるのでより使い勝手が良いものである。
【００１１】
請求項４の発明によれば、ブレードガードは、回動自在であって、水平な位置及び略起立した位置において固定自在としたので、ブレードガードが必要な時と不要な時とでブレードガイドの位置を選択することが出来る。また、水平な位置及び略起立した位置においてブレードガードが徒に動くことが無く、安心して芝刈をすることが出来、作業効率の向上にも役立つものである。
【発明を実施するための最良の形態】
【００１２】
本体の前面に水平に突出したバリカン型の刃を設け、当該本体の上部に把手部を設け、当該把手部を持って使用する芝刈機において、前記刃の上方に、前端縁及び左右端縁が前記刃の大きさよりやや大きいブレードガードを重ねて設けた。
【００１３】
これにより、芝刈の際、このブレードガードが刃より外方に突出しているので、芝刈機の刃が庭の縁石や壁、塀などに接触して当該刃や縁石等を傷めることが無い。その結果、安心して芝刈を行うことが出来、使い勝手の良いものである。
【実施例】
【００１４】
以下、この発明の実施例の芝刈機を図に基づいて説明する。図１は、この発明の実施例の手持式の芝刈機を使用して縁石近くの芝刈をしている様子を示す説明図である。図２は、同芝刈機の左側面図である。図３は、同芝刈機の平面図である。
【００１５】
また、図４は、同芝刈機のブレードガードの平面図である。図５は、同左側面図である。図６は、この発明の実施例の手持式の芝刈機の両側面に設けられたブレードガードを回動及び固定自在にする軌道の拡大図である。図７は、同芝刈機のブレードガードを略起立させて固定した状態の左側面図である。
【００１６】
この発明の実施例の芝刈機Ａは、図２及び図３に示す様に、本体１の前面に水平に突出したバリカン型の刃２を設け、この本体１の後部には湾曲した把手部４を設け、この把手部４を持ち、この把手部４の下側に設けられたスイッチ５を押して本体１に内蔵されたモータ（図示省略）を動かして前記刃２を動作させる手持式の芝刈機である。
【００１７】
前記本体１前面に備えたバリカン型の刃２の上にブレードガード６を重ね、さらに、回動自在かつ水平位置と略起立位置において固定自在に設ける。このブレードガード６は、透明なプラスチックから成り、その前端縁は、図４に示す様に、前記刃２の形状と略同様、すなわち、くし形状であって、前端縁及び左右端縁の大きさは、この刃２よりやや大きいものとなっている。また、図４及び図５に示す様に、前端縁から内側中央上には略鉤型の突起を設けてつまみ６ａを形成している。
【００１８】
このブレードガード６の後端縁は、中央部が大きく切り欠かれ、当該切り欠きを形成する２つの突起は後方へ大きく突出し、このブレードガード６を本体１の両側面に軸支する腕部６ｂとなっている。これらの２つの腕部６ｂの端部の内側には水平に２つの突起６ｃ、６ｄを間隔をあけて設けている。
【００１９】
本体１の両側面には、図６に示す様に、前記腕部６ｂの２つの突起６ｃ、６ｄが挿入されて移動する、横向き「レ」字型の軌道７を設けている。また、この軌道７の周囲には縁が付いている。さらに、この軌道７には、屈曲部と当該屈曲部から下方へ下った最下部に半球状の窪み７ａ、７ｂを設けている。これらの本体１の両側面の軌道７に外方からブレードガード６の腕部６ｂを夫々嵌め入れ、当該軌道７に沿って移動させる。
【００２０】
前記軌道７内を腕部６ｂの突起６ｃ、６ｄを移動させることにより、ブレードガード６は、本体１に対して回動自在である。また、前記刃２の上に重ねた水平な位置及び、図７に示す様に、略起立した位置において夫々固定自在になっている。すなわち、腕部６ｂの突起６ｄが屈曲部の窪み７ａに有る時は、ブレードガード７が水平な位置にある時であり、腕部６ｂの突起６ｄが最下部の窪み７ｂに有る時は、ブレードガード７が略起立状態にある時である。また、水平時から略起立時への移行に際しては、突起６ｄは窪み７ａの中に有るが、少し力を入れれば、腕部６ｂは突起６ｃを軸にして回転して容易に窪み７ｂの位置に移動する。
【００２１】
次に、この芝刈機Ａの使用の仕方を説明する。前述の様にして芝刈機Ａに取り付けたブレードガード６を水平な位置にして前記刃２の上に重ねる。この状態で芝Ｃを刈る。この時、前方向又は左右方向に縁石Ｂが有れば、図１に示す様に、ブレードガード６が先に縁石Ｂに接触してそれ以上進むことが出来ず、刃２が縁石Ｂに接触することが無い。よって、刃２や縁石Ｂを傷めることが無い。
【００２２】
また、ブレードガード６が透明なプラスチック製で、その前端縁が刃２の形状と略同様のくし形状から成るので、作業をしながら上方からブレードガード６を通して刃２の位置が見えるので刃２の位置と縁石Ｂの位置関係が分かり、この点からも刃２を感覚的に安全な位置に保つことが出来る。また、切断具合も見えるので、より使い勝手が良いものである。
【００２３】
また、縁石Ｂや塀、立ち木の周囲の刈り込みを行う時には、ブレードガード６を縁石Ｂ等に沿って当てながら刈り込んで行けば良い。
【００２４】
さらに、芝刈機Ａの前方向及び左右方向や近くに縁石Ｂ等が無く、刃２を傷めることが無い時には、図７に示す様に、つまみ６ａを上げてブレードガード６を略起立させておく。これにより、ブレードガード６の先端が刃２の先端より後方に位置する。
【００２５】
前記実施例では、ブレードガード６を透明なプラスチックから形成しているが、ブレードガード６は透明なプラスチックに限らず、また、前端縁をくし形状にしているが、ブレードガード６の前端縁はくし形状に限らず、単に、扁平な形状から成るものでも良い。
【００２６】
また、ブレードガード６を回動自在であって、水平な位置及び略起立した位置と固定自在とするために、ブレードガード６の２本の腕部６ｂに２つの突起６ｃ、６ｄを夫々設け、また、本体１の両側面に腕部６ｂの２つの突起６ｃ、６ｄが移動する横向き「レ」字型の軌道７を設けているが、ブレードガード６を移動及び固定自在とする構成はこれらのものに限るものではない。
【図面の簡単な説明】
【００２７】
【図１】この発明の実施例の手持式の芝刈機を使用して縁石近くの芝刈をしている様子を示す説明図である。
【図２】この発明の実施例の手持式の芝刈機の左側面図である。
【図３】この発明の実施例の手持式の芝刈機の平面図である。
【図４】この発明の実施例の手持式の芝刈機のブレードガードの平面図である。
【図５】この発明の実施例の手持式の芝刈機のブレードガードの左側面図である。
【図６】この発明の実施例の手持式の芝刈機の両側面に設けられたブレードガードを回動及び固定自在にする軌道の拡大図である。
【図７】この発明の実施例の手持式の芝刈機のブレードガードを略起立させて固定した状態の左側面図である。
【符号の説明】
【００２８】
Ａ    芝刈機                    Ｂ    縁石
Ｃ    芝
１    本体                      ２    刃
３    開口                      ４    把手部
５    スイッチ                  ６    ブレードガード
６ａ  つまみ                    ６ｂ  腕部
６ｃ  突起                      ６ｄ  突起
７    軌道                      ７ａ  窪み
７ｂ  窪み
【図１】
2012135256.tif 000003
【図２】
2012135256.tif 000004
【図３】
2012135256.tif 000005
【図４】
2012135256.tif 000006
【図５】
2012135256.tif 000007
【図６】
2012135256.tif 000008
【図７】
2012135256.tif 000009